(57)【要約】      （修正有）【課題】作業台の在る室内において間仕切りをした空間を形成できる、組立が容易で軽量であり、収納にもスペースを取らないブースを提供する。【解決手段】骨組３とスクリーンを備えるブースであって、骨組は、それぞれ２本のパイプ材からなる前脚支柱１１と後脚支柱１２とが平面視４角形の４角の角部に配置され、該２本の前脚支柱と該２本の後脚支柱との４本の支柱１の上端部において、両端にＣ型把持部を備えるジョイントが固定されたパイプ材からなる横架梁２を該ジョイントを介して架設して、平面視４角形の４辺が形成され、骨組の平面視４角形の４辺を形成する横架梁のうち、２本の前脚支柱の間に架設された横架梁を除いた３辺の横架梁にスクリーンが吊り下げられ、前脚支柱が机（作業台）の天板上または室内の床面上に、２本の後脚支柱が室内の床面上に、それぞれ配置することができる。【選択図】図１
0003234170.tif 000002
【実用新案登録請求の範囲】
【請求項１】
作業台の在る室内に配備され、骨組とスクリーンを備えるブースであって、
骨組は、２本の長さの等しいパイプ材からなる前脚支柱と２本の長さの等しいパイプ材からなる後脚支柱とが平面視４角形の４角の角部に配置され、該２本の前脚支柱と該２本の後脚支柱との４本の支柱の上端部において、支柱と支柱との間に、両端にＣ型把持部を備えるジョイントが固定されたパイプ材からなる横架梁を該ジョイントを介して架設して、該平面視４角形の４辺が形成され、
該骨組の平面視４角形の４辺を形成する横架梁のうち、２本の前脚支柱の間に架設された横架梁を除いた３辺の横架梁にスクリーンが吊り下げられ、
前脚支柱は長さが後脚支柱よりも短く、
２本の前脚支柱が作業台の天板上に、２本の後脚支柱が室内の床面上に、それぞれ配置することができることを特徴とする作業台の在る室内に配備されるブース。
【請求項２】
作業台の在る室内に配備され、骨組とスクリーンを備えるブースであって、
骨組は、２本の長さの等しいパイプ材からなる前脚支柱と２本の長さの等しいパイプ材からなる後脚支柱とが平面視４角形の４角の角部に配置され、該２本の前脚支柱と該２本の後脚支柱との４本の支柱の上端部において、支柱と支柱との間に、両端にＣ型把持部を備えるジョイントが固定されたパイプ材からなる横架梁を該ジョイントを介して架設して、該平面視４角形の４辺が形成され、
該骨組の平面視４角形の４辺を形成するの横架梁のうち、２本の前脚支柱の間に架設された横架梁を除いた３辺の横架梁にスクリーンが吊り下げられ、
前脚支柱と後脚支柱とは長さが等しく、
２本の前脚支柱および２本の後脚支柱が室内の床面上に配置することができることを特徴とする作業台の在る室内に配備されるブース。
【請求項３】
作業台の在る室内に配備され、骨組とスクリーンを備えるブースであって、
骨組は、２本の長さの異なるパイプ材からなる前脚支柱と２本の長さの等しいパイプ材からなる後脚支柱とが平面視４角形の４角の角部に配置され、該２本の前脚支柱と該２本の後脚支柱との４本の支柱の上端部において、支柱と支柱との間に、両端にＣ型把持部を備えるジョイントが固定されたパイプ材からなる横架梁を該ジョイントを介して架設して、該平面視４角形の４辺が形成され、
該骨組の平面視４角形の４辺の横架梁のうち、２本の前脚支柱の間に架設された横架梁を除いた３辺の横架梁にスクリーンが吊り下げられ、
２本の前脚支柱のうち、一方の前脚支柱は長さが後脚支柱よりも短く、他方の前脚支柱は長さが後脚支柱と等しく、
該一方の前脚支柱が作業台の天板上に、該他方の前脚支柱および２本の後脚支柱が室内の床面上に、それぞれ配置することができることを特徴とする作業台の在る室内に配備されるブース。
【請求項４】
前記平面視４角形の４辺の横架梁のうち、２本の前脚支柱間に架設された横架梁を除いた３辺の横架梁と２本の後脚支柱および２本の前脚支柱とが形成する６つの角部、または前記平面視４角形の４辺の横架梁と２本の後脚支柱および２本の前脚支柱とが形成する８つの角部に、コーナー材を架設したことを特徴とする、請求項１乃至３のいずれか一項に記載の作業台の在る室内に配備されるブース。
【請求項５】
さらに前記２本の前脚支柱の間に架設された横架梁にスクリーンが吊り下げられていることを特徴とする請求項１乃至４のいずれか一項に記載の作業台の在る室内に配備されるブース。
【考案の詳細な説明】
【技術分野】
【０００１】
本考案は、室内に配備されるブースに関するものである。
【背景技術】
【０００２】
近年、インターネット環境が普及・充実したことで、所属する会社のオフィスではなく、自宅やレンタルオフィスで働くことが容易になり推奨される時代になった。また、オンラインWEB会議のツールを使用してWEB会議やオンライン授業が行われることが多くなり、自宅でWEB会議に参加するオフィスで勤務する人々やオンライン授業に出席する学生が増えている。
【０００３】
しかし、書斎のような独立した仕事部屋や勉強部屋を持たない人は、自宅では居間などの比較的広い部屋で、家族がそばにいる状態でＩＴ（情報技術）を利用して仕事や勉学をしたり、WEB会議やオンライン授業に臨んだりすることになり、集中した状態で落ち着いて作業をすることができない。
また、WEB会議やオンライン授業では、パソコンを通じて、リアルに会っているかのように、相手と話すことができる反面、自宅から参加する場合には、WEBカメラの背景に自宅のプライベートの様子が映ることが避けられない。
【０００４】
日本の家屋では、目隠しとして、衝立などのパーティション（間仕切り）用家具が使用されてきた。衝立は、複数のパネルを連結した折りたたみ式のものが知られているが、個々のパネルに分離できないものは、重量が重くなり設置や収納の取り扱いがやっかいであり、また、収納にもスペースを取る。この難点を解消するものとして、例えば特許文献１には、複数のパネルで構成され、２枚以上のパネルをパネルの側壁に設けた蝶番で連結し、蝶番の部位で個々のパネルに分離できる連結式の折りたたみ型衝立が示されている。
【０００５】
在宅で机やテーブルに向かって作業する場合、集中して落ち着いた状態で作業できる空間を整え、また、作業者の使用するパソコンのWEBカメラの背景に自宅のプライベートの様子が映らないようにするためには、机やテーブルに向かって作業する人の少なくとも背後と側面を目隠しすることが必要である。
【０００６】
しかし、特許文献１に示すような衝立により、作業する人の背後や側面を目隠しするためには、４枚乃至６枚以上のかなりの枚数のパネルを連結する必要があるが、４枚乃至６枚以上のパネルを蝶番を介して連結する作業は蝶番用軸部を蝶番用凹部に挿入しなければならず、時間と労力を伴うものであり、簡単に行えるものではない。また、このようなパネルを多数連結した衝立はかなりの重量になり、配置するための移動が容易ではなく、パネル間の連結を解いて収納するスペースもパネルがかさばり大きくなる。また、WEB会議やオンライン授業では、WEBカメラの背景に自宅のプライベートの様子が映らないようにしなければならないが、特許文献１に示す衝立は、パネル間の間に隙間ができることが避けられず、目隠しの機能が十分でない。
【先行技術文献】
【特許文献】
【０００７】
特許文献１：実開平６-１３６３５号公報
【考案の概要】
【考案が解決しようとする課題】
【０００８】
本考案は、上記の事情に鑑みて、自宅やレンタルオフィス等の室内においても、仕事や勉学のみならず、WEB会議やオンライン授業等にも好適な間仕切りをした空間を形成できる、組立が容易で軽量であり、収納にもスペースを取らない、机やテーブルなどの作業台のある室内に配備するブースを提供することを目的とする。
【課題を解決するための手段】
【０００９】
上記の課題を解決するために、本考案は以下の手段を採用する。
［１］作業台の在る室内に配備され、骨組とスクリーンを備えるブースであって、骨組は、２本の長さの等しいパイプ材からなる前脚支柱と２本の長さの等しいパイプ材からなる後脚支柱とが平面視４角形の４角の角部に配置され、該２本の前脚支柱と該２本の後脚支柱との４本の支柱の上端部において、支柱と支柱との間に、両端にＣ型把持部を備えるジョイントが固定されたパイプ材からなる横架梁を該ジョイントを介して架設して、該平面視４角形の４辺が形成され、該骨組の平面視４角形の４辺を形成する横架梁のうち、２本の前脚支柱の間に架設された横架梁を除いた３辺の横架梁にスクリーンが吊り下げられ、
前脚支柱は長さが後脚支柱よりも短く、２本の前脚支柱が作業台の天板上に、２本の後脚支柱が室内の床面上に、それぞれ配置することができることを特徴とする作業台の在る室内に配備されるブース。
［２］作業台の在る室内に配備され、骨組とスクリーンを備えるブースであって、骨組は、２本の長さの等しいパイプ材からなる前脚支柱と２本の長さの等しいパイプ材からなる後脚支柱とが平面視４角形の４角の角部に配置され、該２本の前脚支柱と該２本の後脚支柱との４本の支柱の上端部において、支柱と支柱との間に、両端にＣ型把持部を備えるジョイントが固定されたパイプ材からなる横架梁を該ジョイントを介して架設して、該平面視４角形の４辺が形成され、該骨組の平面視４角形の４辺を形成するの横架梁のうち、２本の前脚支柱の間に架設された横架梁を除いた３辺の横架梁にスクリーンが吊り下げられ、前脚支柱と後脚支柱とは長さが等しく、２本の前脚支柱および２本の後脚支柱が室内の床面上に配置することができることを特徴とする作業台の在る室内に配備されるブース。
［３］作業台の在る室内に配備され、骨組とスクリーンを備えるブースであって、骨組は、２本の長さの異なるパイプ材からなる前脚支柱と２本の長さの等しいパイプ材からなる後脚支柱とが平面視４角形の４角の角部に配置され、該２本の前脚支柱と該２本の後脚支柱との４本の支柱の上端部において、支柱と支柱との間に、両端にＣ型把持部を備えるジョイントが固定されたパイプ材からなる横架梁を該ジョイントを介して架設して、該平面視４角形の４辺が形成され、該骨組の平面視４角形の４辺の横架梁のうち、２本の前脚支柱の間に架設された横架梁を除いた３辺の横架梁にスクリーンが吊り下げられ、２本の前脚支柱のうち、一方の前脚支柱は長さが後脚支柱よりも短く、他方の前脚支柱は長さが後脚支柱と等しく、該一方の前脚支柱が作業台の天板上に、該他方の前脚支柱および２本の後脚支柱が室内の床面上に、それぞれ配置することができることを特徴とする作業台の在る室内に配備されるブース。
［４］前記平面視４角形の４辺の横架梁のうち、２本の前脚支柱間に架設された横架梁を除いた３辺の横架梁と２本の後脚支柱および２本の前脚支柱とが形成する６つの角部、または前記平面視４角形の４辺の横架梁と２本の後脚支柱および２本の前脚支柱とが形成する８つの角部に、コーナー材を架設したことを特徴とする、［１］乃至［３］のいずれかに記載の作業台の在る室内に配備されるブース。
［５］さらに前記２本の前脚支柱の間に架設された横架梁にスクリーンが吊り下げられていることを特徴とする［１］乃至［４］のいずれかに記載の作業台の在る室内に配備されるブース。
【考案の効果】
【００１０】
本考案のブースは、パイプ材からなる２本の前脚支柱と２本の後脚支柱とを平面視四角形の角部に配置して２本の前脚支柱と２本の後脚支柱とを両端にＣ型の把持部を備えるジョイントが固定されたパイプ材からなる横架梁で架設して骨組が構築され、横架梁にスクリーンを吊り下げるものであるから、重量が軽量であり、かつ組立・分解が容易である。また、骨組の平面視４角形の４辺を形成する４本の横架梁のうち、少なくとも、２本の前脚支柱の間に架設された横架梁を除いた３本の横架梁にスクリーンを吊り下げるものであるから、ブース内で作業する人の背面および側面を目隠しすることができる空間を容易に形成することができる。そして、分解後のブースは、主要部品がパイプ材と折りたたみ可能なスクリーンであるから、コンパクトに収納することができ、収納スペースも小さくすることができる。
【図面の簡単な説明】
【００１１】
【図１】本考案のブース（第１の実施形態）の骨組を示した斜視図。
【図２】本考案のブース（第１の実施形態）の骨組を示した平面図。
【図３】本考案のブース（第２の実施形態）の骨組を示した斜視図。
【図４】本考案のブース（第３の実施形態）の骨組を示した斜視図。
【図５】横架梁にスクリーンが吊り下げられている状態を示す図。
【図６】支柱と横架梁とがジョイントで接続されている状態を示した図。
【図７】支柱と横架梁を接続するジョイントを示す図。（ａ）は正面図を示す。（ｂ）は平面図を示す。
【図８】両端にＣ型の把持部を有するジョイントが固定された横架梁を示す図。（ａ）は正面図を示す。（ｂ）は平面図を示す。
【図９】支柱と横架梁が形成する角部にコーナー材が取り付けられた骨組を示す図。
【図１０】コーナー材を示す図。
【図１１】後脚支柱の中間の高さ位置に横架梁が架設された骨組を示す図。
【図１２】ブース内で作業者がパソコンに向かって作業しているところを示す図面代用写真。
【考案を実施するための形態】
【００１２】
本考案のブースは、室内に配備されるものであって、骨組とスクリーンを備え、室内において間仕切りをした空間を形成できるものである。
以下、図面を援用して本考案のブースの３つの実施形態を説明する。
【００１３】
本考案の第１の実施形態について、ブースの骨組を斜視図および平面図でそれぞれ図１、図２にそれぞれに示す。
ブースは、机やテーブルのような作業台８０に向かって作業する人（以下、作業者という）の前方側に配置されることになる２本の支柱１と作業者の後方側（作業者の背後）に配置されることになる２本の支柱１を平面視４角形の４角の角部に配置し、これら４本の支柱１の上端部において、支柱１と支柱１との間に横架梁２が架設された骨組３を有している。
したがって、骨組３は、４本の支柱１と４本の横架梁２を有し、４本の支柱１が平面視４角形の４角の角部に配置され、４本の横架梁２が平面視４角形の４辺を形成している。
【００１４】
支柱１および横架梁２はパイプ材からなり、支柱１と支柱１との間の横架梁２の架設は、横架梁２の両端に固定されたＣ型把持部を有するジョイント５を介して行うことができるが、これについては後述する。
なお、梁とは、通常、柱の上にはり渡し、屋根を支える材料を指しているが、横架梁２は支柱１と支柱１との間に架設される材料を指している。
【００１５】
以下において、作業者の前方側に配置されることになる支柱１を前脚支柱１１、作業者の後方側（作業者の背後）に配置される支柱１を後脚支柱１２ということにして区別する。両者を区別しない場合は、単に支柱１という。
【００１６】
図１および図２では、４本の支柱１が形成する平面視４角形が、２本の前脚支柱１１の間が２本の後脚支柱１２の間よりも長い台形であるが、平面視４角形は台形に限るものではなく、長方形や正方形でもかまわない。図１、図２では、作業台（机）８０に置かれたパソコン９０に向かい作業者が椅子１００に座って作業しているところを想定している。図１では椅子１００は図示していない。
【００１７】
第１の実施形態のブースの骨組３では、２本の前脚支柱１１は長さが等しく、２本の後脚支柱１２も長さが等しい。そして、前脚支柱１１の長さは、後脚支柱１２の長さよりも短く、図１から分かるように、２本の前脚支柱１１が作業台２の天板上に、２本の後脚支柱１２が室内の床面上にそれぞれ配置できるようになっている。
このようにするには、作業台２の高さ（床面から作業台２の天板までの高さ）分だけ、前脚支柱１１の長さを後脚支柱１２より短くしておけばよいが、後述するように、横架梁２の端部に固定されたＣ型把持部を備えるジョイント５の支柱１での位置を容易に上下できるので、前脚支柱１の長さを厳密に規定する必要はない。
【００１８】
骨組３では、２本の前脚支柱１１の間、２本の後脚支柱１２の間および前脚支柱１１と後脚支柱１２との間（２個所）に計４本の横架梁２が架設されている。これら４本の横架梁２のうち、２本の前脚支柱１１の間に架設される横架梁２を除く、３本の横架梁２にはスクリーン４が吊り下げられるが、図１および図２では、スクリーン４は図示していない。
したがって、このブースでは、２本の後脚支柱１２の間および前脚支柱１１と後脚支柱１２との間（２個所）に架設された計３本の横架梁２にスクリーン４が吊り下げられ、ブース内で作業者の背後と側面がスクリーン４によって囲まれ、目隠しされることになる。図１２にこれら３本の横架梁２にスクリーン４が吊り下げられているブースを示した。
【００１９】
スクリーン４は、２本の後脚支柱１２の間に架設された横架梁２および前脚支柱１１と後脚支柱１２との間に架設された横架梁（２本）の計３本の横架梁２のそれぞれに１枚ずつ、計３枚のスクリーン４を吊り下げるか、あるいは１枚もののスクリーン４をこの計３本の横架梁２に吊り下げてもよい。こうすることで作業者の背後や側面の室内の有様をスクリーンにより目隠しでき、ブースの外の家族などの同居人を、作業者の背後や側面から視覚的に遮断することができるので、作業者はブース内での作業に集中することができる。また、例えば、パソコン９０を前にして、WEB会議やオンライン授業に参加している場合に、室内の有様をパソコン９０のウェブカメラが撮して、他の人たちにパソコンを介して見られることがない。
スクリーン４の丈（タケ）は、下端が床面に接する程度でよいが、床面との間に隙間があっても、ブース外の有様があらわにならない程度に適当に調整すればよい。
【００２０】
スクリーン４は、さらに２本の前脚支柱１１の間の横架梁２にも吊り下げててもよい。この場合、ブースを前方に少し移動して２本の前脚支柱１１を作業台（机）２の天板上の前方側に配置すれば、ブース内で作業者の背後と側面および前面がスクリーン４によって囲まれ、目隠しされることになる。このスクリーン４をカーテンのように両開きや開閉が容易なものにしておけば、前方の景色を見たり日の光を取り入れたりすることが容易にできる。
【００２１】
スクリーン４を横架梁２に吊り下げるには、図５に示すように、横架梁２に通した複数の吊り金具（図面番号なし）などを介して取り付ければよいが、スクリーン４の上端縁に小さな磁石板を埋め込み、支柱１や横架梁に鉄製のパイプを使用して、磁力を利用して支柱１や横架梁２に吊り下げてもよいし、スクリーン４の両端の上端部のみに磁石板を埋め込み、吊り金具と磁石板を併用して、吊り下げることも可能である。
また、スクリーン４の左右の両端縁の数個所に小さな磁石を埋め込み、スクリーンの左右の端縁を支柱１に密着させて、スクリーン４と支柱１との隙間が生じないようにすることもできる。
【００２２】
次に、本考案のブースの第２の実施形態を説明する。この実施形態の骨組３の斜視図を図３に示した。
第２の実施形態のブースでも、第１の実施形態と同様に、骨組３は、４本のパイプ材からなる支柱１と４本のパイプ材からなる横架梁２を有し、４本の支柱１が平面視４角形の４角の角部に配置され、支柱１の上端部において、支柱１と支柱１との間に横架梁２が架設され、４本の横架梁が平面視４角形の４辺を形成している。
図３では、４本の支柱１が形成する平面視４角形が、２本の前脚支柱１１の間が２本の後脚支柱１２の間よりも長い台形であるが、第１の実施形態のブースと同様に、台形に限るものではなく、長方形や正方形でもかまわない。
横架梁２の支柱１と支柱１との間の架設も、第１の実施形態のブースと同じであり、横架梁２の両端に固定されたＣ型把持部を有するジョイント５を介して行うことができるが、これについては後述する。
【００２３】
第２の実施形態のブースの骨組３では、２本の前脚支柱１１が同じ長さであり、２本の後脚支柱１２も同じ長さであり、かつ前脚支柱１１と後脚支柱１２の長さが等しい。すなわち、骨組３を構成する４本の支柱１の長さが等しい。そして、図３に示すように、２本の前脚支柱１１および２本の後脚支柱１２が室内の床面上にそれぞれ配置できるようになっている。
【００２４】
第２の実施形態のブースの骨組３は、第１の実施形態のブースの骨組３と異なっているが、第１の実施形態のブースと同様に、２本の後脚支柱１２の間および前脚支柱１１と後脚支柱１２との間（２個所）に架設された計３本の横架梁２にスクリーン４が吊り下げられ、ブース内で作業者の背後と側面がスクリーン４によって囲まれ、目隠しされることになる。
【００２５】
さらに２本の前脚支柱１１の間の横架梁２にも吊り下げててもよい。こうすることにより、ブース内で作業者の背後と側面および前面がスクリーン４によって囲まれ、目隠しされることになる。このスクリーン４をカーテンのように両開きや開閉が容易なものにしておけば、前方の景色を見たり日の光を取り入れたりすることができる。
このように、第２の実施形態のブースでも、第１の実施形態のブースと同様の目隠し効果を有するものとすることができる。
スクリーン４の吊り下げについては、第１の実施形態のブースと同じようにすることができる。
【００２６】
次に、第１および第２の実施形態は異なる本考案のブースの第３の実施形態を説明する。この実施形態の骨組の斜視図を図４に示した。
第３の実施形態のブースでも、第１、第２の実施形態と同様に、骨組３は、４本のパイプ材からなる支柱１と４本のパイプ材からなる横架梁２を有し、４本の支柱１が平面視４角形の４角の角部に配置され、支柱１の上端部において、支柱１と支柱１との間に横架梁２が架設され、４本の横架梁２が平面視４角形の４辺を形成している。
図４では、４本の支柱１が形成する平面視４角形が、２本の前脚支柱１１の間が２本の後脚支柱１２の間よりも長い台形であるが、第１および第２の実施形態のブースと同様に、台形に限るものではなく、長方形や正方形でもかまわない。
横架梁２の支柱１と支柱１との間の架設も、第１、第２の実施形態のブースと同じであり、横架梁の両端に固定されたＣ型把持部を有するジョイント５を介して行うことができるが、これについては後述する。
【００２７】
第３の実施形態のブースの骨組３では、２本の後脚支柱１２は同じ長さであるが、２本の前脚支柱１１の長さが異なっており、一方の前脚支柱１１は、他方の前脚支柱１１の長さより短く、該他方の前脚支柱１１の長さは、後脚支柱１２と同じである。
したがって、一方の前脚支柱１１は、他方の前脚支柱１１の長さより短く、該他方の前脚支柱１１の長さは、後脚支柱１２と同じであるあるから、図４に示すように、この実施形態のブースでは、２本の前脚支柱１１のうち、いずれか１方の前脚支柱１１（図４では作業者からみて右側の前脚支柱）は作業台（机）２の天板上に配置し、他の１本の前脚支柱１１は床面上に配置することができる。そして、後脚支柱１２は、第１および第２の実施形態のブースと同様に、床面上に配置することができる。
【００２８】
このようにするには、作業台の高さ（床面から作業台の天板までの高さ）分だけ、一方の前脚支柱１１の長さを他方の前脚支柱１１の長さ（すなわち後脚支柱１２の長さと同じ）より短くしておけばよいが、後述するように、横架梁２の端部に固定されたＣ型把持部を備えるジョイント５の支柱１での位置を容易に上下できるので、一方の前脚支柱１の長さを厳密に規定する必要はない。
【００２９】
第３の実施形態のブースは、作業台８０の幅方向の一方の端が部屋の壁などに接近しておかれている場合に好適である。例えば、作業台８０の右端と壁が接近している場合には、図４に示されるように、２本の前脚支柱１１のうち、右側の前脚支柱１１を作業台２の天板上に配置する第３の実施形態のブースを採用することができる。
【００３０】
第３の実施形態のブースの骨組３は、第１および第２の実施形態のブースの骨組３と異なっているが、第１および第２の実施形態のブースと同様に、２本の後脚支柱１２の間および前脚支柱１１と後脚支柱１２との間（２個所）に架設された計３本の横架梁２にスクリーン４が吊り下げられ、ブース内で作業者の背後と側面がスクリーン４によって囲まれ、目隠しされることになる。
【００３１】
さらに２本の前脚支柱１１の間の横架梁２にも吊り下げててもよい。こうすることにより、ブース内で作業者の背後と側面および前面がスクリーン４によって囲まれ、目隠しされることになる。このスクリーン４をカーテンのように両開きや開閉が容易なものにしておけば、前方の景色を見たり日の光を取り入れたりすることができる。
このように、第３の実施形態のブースでも、第１の実施形態のブースと同様の目隠し効果を有するものとすることができる。
スクリーン４の吊り下げについては、第１の実施形態のブースと同じようにすることができる。
【００３２】
第１〜第３の実施形態のブースのいずれにおいても、平面視四角形の角部に配置された支柱１の上端部において、支柱１と支柱１との間に横架梁２を架設するには、横架梁の両端に取り付けたジョイント５を介して行うことができる。図６に支柱１と横架梁２とがジョイント５で接続されている状態を示した。図７には図６において使用されているジョイント５を示した。
図７から分かるように、このジョイント５は、支柱１のパイプ材を把持することができるＣ型把持部５１と横架梁２の端部が挿入されるソケット部５２を有している。
【００３３】
ジョイント５は、予め横架梁２の両端部のそれぞれに取り付けて固定しておく。
横架梁２の端部とソケット部５２とのそれぞれにはネジが挿入できる雌ネジ孔（図面番号なし）が形成されており、該孔にネジをねじ込むことにより、把持部５１を横架梁２に固定することができる。図８に両端にこのＣ型把持部５１を有するジョイント５が固定された横架梁２を示した。
【００３４】
ジョイント５のＣ型把持部５１は弾性体の材料で作られており、把持部５１の把持片の間隔を拡げて押し込めば支柱１のパイプ材に装着することができるから、予め、ジョイント５を横架梁２の両端に装着して固定しておけば、ジョイント５を介して支柱１に横架梁２を接続して、２本の支柱１の間に横架梁２を容易に架設することができる。
【００３５】
ブースの骨組３において、平面視４角形の角部に配置された１本の支柱１の上端部において横架梁２を架設するには、図６に示すように、ジョイント５を介して、２本の横架梁２が、各横架梁２のジョイントの把持部５１同士が上下に接した状態あるいは接近した状態で支柱１に接続することにより行われる。ここで、２本の横架梁２の上下を逆にして支柱１に接続してもよい。
図６において、上側に位置するジョイントの把持部５１から支柱１の先端部が飛び出てもよい。こうすることで、支柱１のジョイントのＣ型把持部から下に伸びる部位の長さを調整できる。
【００３６】
第１〜第３の実施形態のブースのいずれにおいても、平面視４角形の４辺の横架梁２のうち、２本の前脚支柱１１の間に架設された横架梁２を除いた３辺の横架梁２と２本の後脚支柱１２および２本の前脚支柱１１とが形成する６つの角部に、コーナー材６を架設することにより、ブースの骨組３をより堅固なものとすることができる。
また、前記平面視４角形の４辺の横架梁２と２本の後脚支柱１２および２本の前脚支柱１１とが形成する８つの角部すべてに、コーナー材６を架設することにより、ブースの骨組３をさらにより堅固なものとすることができる。
図９には、支柱１と横架梁２が形成する２つの角部にコーナー材６が取り付けられた骨組３が示されている。
【００３７】
コーナー材６は、パイプ材などから両端部を曲げて製作したコーナー材の本体部材６１の両端部に支柱１や横架梁２のパイプ材を把持できる把持部材６２を固定して製作することができる。把持部材６２には、横架梁２の両端部に固定したものと同様のＣ型の把持部を有するものを使用することができる。図１０にコーナー材６を示した。
【００３８】
第１〜第３の実施形態のブースのいずれにおいても、ブースの骨組３は、後脚支柱１２の丈が比較的長いので、図１１に示すように、２本の後脚支柱１２の間の後脚支柱１２の中間の高さ位置に、横架梁２を架設することによってもより堅固なものとすることができる。図１１に示すものは第１の実施形態であるが、第２および第３の実施形態のものにも同様の横架梁２を架設することができる。
【００３９】
第１〜第３の実施形態のブースのいずれにおいても、前脚支柱１１や後脚支柱１２の下端には、パイプ用のエンドキャップを取り付けることができる。エンドキャップは種々のものが市販されている。
エンドキャップを支柱の下端に取り付けると、床面や作業台の天板を傷つけないようにすることができる。また、エンドキャップに滑り止め効果を持たせることもできる。
【００４０】
図１や図２では、作業者が作業台８０に向かって自宅の部屋で在宅勤務してパソコン９０を操作してテレワークしているところを想定しているが、第１〜第３の実施形態のブースのいずれにおいても、作業はパソコン９０の操作に限るものではなく、作業台８０に向かって行うすべての作業を含むものである。また、作業するところは自宅に限らず、作業台８０のある部屋、例えばレンタルルームの部屋でもよい。また、作業台８０は、机、テーブルや座卓、そのほかの作業台を含むものである。
【００４１】
第１〜第３の実施形態のブースのいずれにおいても、支柱１や横架梁２は、鉄やアルミなどの金属や合成樹脂製のパイプ材で製作することができる。
第１の実施形態のブースの骨組に使用される支柱１や横架梁２のパイプ材の寸法の一例を以下に示す。机の高さは７００ｍｍ程度に想定している。支柱１と横架梁２は外径が同じものを使用することが望ましい。
・前脚支柱  外径：１９ｍｍφ、長さ：１２５０ｍｍ
・後脚支柱  外径：１９ｍｍφ、長さ：１９５０ｍｍ
・前横架梁  外径：１９ｍｍφ、長さ：１１００ｍｍ
・後横架梁  外径：１９ｍｍφ、長さ：７００ｍｍ
・左右横架梁  外径：１９ｍｍφ、長さ：１０００ｍｍ
上記の寸法は、部屋の大きさや作業台の寸法、作業者の体格などにより適宜調整できるものであり、この一例の寸法に限るものではない。
前横架梁２、すなわち２本の前脚支柱１１の間に架設される横架梁２には、伸縮自在のパイプ材を使用することができ、作業台２の大きさが変化した場合でも、前横架梁２を７００〜１１００ｍｍ程度の範囲内で延ばしたり縮めたりして対応することができる。
第２および第３の実施形態のブースでも、支柱１や横架梁２の長さを適宜定めればよい。
【００４２】
前脚支柱１と後脚支柱４のパイプ材には、接続可能なものを使用すると、第１〜第３の実施形態のいずれの骨組３にも対応することができる。接続可能なパイプ材を使用すると、第１〜第３の実施形態のブースのいずれも、収納スペースをさらに小さくすることができる。
第１の実施形態では、上記の例では、後脚支柱１２が１９５０ｍｍであるので、１０００ｍｍ程度の長さのパイプ材を２本接続することで、そして、３００ｍｍ程度の短い長さのパイプ材を準備しておけば、１０００ｍｍ程度のパイプ材と３００ｍｍ程度のパイプ材を接続して、前脚支柱１１とすることができる。
第２の実施形態では、前脚支柱１１と後脚支柱１２とが同じ長さであるので、前脚支柱１１および後脚支柱１２は、２本の１０００ｍｍ程度のパイプ材を接続することで対応することができる。
第３の実施形態のブースでも、長さが短い方の前脚支柱１１も、１０００ｍｍ程度のパイプ材と３００ｍｍ程度のパイプ材を接続して対応することができる。
【００４３】
本考案のブースは、骨組を構成する支柱や横架梁がパイプ材からなり、横架梁に吊り下げるスクリーンを含めても軽量であり、移動が容易であるから、室内の好みの場所に配置することができる。また、本考案のブースを複数台配置して、複数の同居人の各人が個別にブースを利用して、各人の作業に集中できる環境を形成することもできる。
【符号の説明】
【００４４】
１：支柱
１１：前脚支柱
１２：後脚支柱
２：横架梁
３：骨組
４：スクリーン
５：ジョイント
５１：C型把持部
５２：ソケット部
６：コーナー材
６１：（コーナー材の）本体部材
６２：（コーナー材の）把持部材
８０：作業台（机、テーブル、座卓など）
９０：パソコン
１００：椅子
【図１】
0003234170.tif 000003
【図２】
0003234170.tif 000004
【図３】
0003234170.tif 000005
【図４】
0003234170.tif 000006
【図５】
0003234170.tif 000007
【図６】
0003234170.tif 000008
【図７】
0003234170.tif 000009
【図８】
0003234170.tif 000010
【図９】
0003234170.tif 000011
【図１０】
0003234170.tif 000012
【図１１】
0003234170.tif 000013
【図１２】
0003234170.tif 000014